(57)【要約】【課題】画像中の特定物に応じた適切な文字情報とともに当該画像をプリントすることを可能とするプリント方法、画像処理装置、画像処理プログラムを提供することにある。【解決手段】複数の画像データを特定物の識別画像および当該特定物の日付情報に基づいて検索し、当該識別画像と一致する画像を含み、かつ、当該日付情報と一致する撮影日の画像データを抽出し、当該特定物および／または日付情報に関連した関連文字情報を、前記抽出された画像データと共にプリントすることを特徴とするプリント方法である。【選択図】図１
2010044434.tif 000002
【特許請求の範囲】
【請求項１】
複数の画像データを特定物の識別画像および当該特定物の日付情報に基づいて検索し、
当該識別画像に相当する画像を含み、かつ、当該日付情報と一致する撮影日の画像データを抽出し、
当該特定物および／または日付情報に関連した関連文字情報を、前記抽出された画像データと共にプリントすることを特徴とするプリント方法。
【請求項２】
撮影日情報を含む複数の画像データを保存する画像データ保存部と、
特定物の識別情報、日付情報、当該特定物および／または日付情報に関連した関連文字情報とを有する特定物情報を保存する特定物情報保存部と、
前記特定物の識別画像に基づいて前記画像データ保存部内の画像データを検索し、当該特定物の識別画像に相当する画像を含む画像データを抽出する特定物抽出部と、
前記特定物抽出部で抽出された抽出画像データの撮影日情報と、前記特定物の日付情報が一致するか否かを判定する日付判定部と、
前記日付判定部の判定結果において、前記抽出画像データの撮影日情報と、前記特定物の日付情報が一致する場合に、当該特定物の関連文字情報を当該抽出画像データに紐付けする紐付け部と、
前記紐付け部で紐付けられた関連文字情報と抽出画像データを共にプリントするように制御するプリント制御部と、
を有する画像処理装置。
【請求項３】
前記紐付け部で紐付けられた関連文字情報と抽出画像データを予め設定された配置条件で配置された画像を表示手段に表示する表示制御部と、をさらに有し、
前記プリント制御部が、前記表示制御部で表示された画像をプリントするように制御する、あるいは当該表示された画像を編集した画像をプリントするように制御することを特徴とする請求項２の画像処理装置。
【請求項４】
前記複数の画像データからアルバムプリントを作成する場合に、前記紐付け部で紐付けられた関連文字情報と抽出画像データを含むようにアルバム画像データを作成するアルバム画像データ作成部と、
前記アルバム画像データ作成部で作成されたアルバム画像データをプリントするように制御するアルバムプリント制御部と、をさらに有する請求項２の画像処理装置。
【請求項５】
前記日付判定部の処理において、全ての抽出画像データの撮影日情報が前記日付情報と一致する場合に、アルバムのタイトルに前記関連文字情報を選択するタイトル選択部を、さらに有する請求項４の画像処理装置。
【請求項６】
コンピュータに、
特定物の識別画像に基づいて、画像データ保存部に保存された撮影日情報を含む複数の画像データを検索し、当該特定物の識別画像に相当する画像を含む画像データを抽出する特定物抽出ステップと、
前記特定物抽出ステップで抽出された抽出画像データの撮影日情報と、前記特定物の日付情報が一致するか否かを判定する日付判定ステップと、
前記日付判定ステップの判定結果において、前記抽出画像データの撮影日情報と、前記特定物の日付情報が一致する場合に、当該特定物および／または日付情報に関連した関連文字情報を当該抽出画像データに紐付けする紐付けステップと、を実行させるための画像処理プログラム。
【請求項７】
コンピュータに、
前記紐付けステップで紐付けられた関連文字情報と抽出画像データを予め設定された配置条件で配置された画像を表示手段に表示する表示する表示制御ステップと、
前記表示制御ステップで表示された画像をプリントするように制御する第１プリント制御ストップと、あるいは当該表示された画像を編集した画像をプリントするように制御する第２プリント制御ステップと、をさらに実行させるための請求項６の画像処理プログラム。
【請求項８】
前記紐付けステップで紐付けられた関連文字情報と抽出画像データを含むようにアルバム画像データを作成するアルバム画像データ作成ステップと、
前記アルバム画像データ作成ステップで作成されたアルバム画像データをプリントするように制御するアルバムプリント制御ステップと、をさらに実行させるための請求項６の画像処理プログラム。
【発明の詳細な説明】
【技術分野】
【０００１】
本発明は、複数の画像データに含まれる特定物に関連した文字情報を、その画像データとともにプリントするプリント方法、画像処理装置、画像処理プログラムに関する。
【背景技術】
【０００２】
撮影された画像中の特定の人物に対し、その撮影日がイベント（遠足、運動会等）や記念日（結婚式、誕生日等）等であれば、画像に、イベントや記念日のタイトルやコメント、感想等の文字情報を付してプリントすることが行われている。画像に文字情報を付する場合、時間的制約や文章を考えながらの入力作業となることから、自宅のパソコン上で一般的な画像編集ソフトを利用して行われることが通常であった。そして編集後、文字情報を合成した画像データを店舗に持ち込んで写真プリント（銀塩式プリント、インクジェットプリント等）をしたり、自宅のプリンタでプリントするものであった。
【０００３】
また、複数の画像データからアルバムプリントの作成を行う場合において、複数の画像データから特定の人物を抽出し、抽出された人物を対象としてそのコメント（あるいは文字情報）を付することが行われるが、特定の人物を抽出すること自体、大変煩雑であり、そのコメントを考えることも大変手間のかかる作業であった。特に、１つの画像データ中に複数の人物が含まれている場合、複数の人物から特定の人物を抽出することは容易ではなく、また、複数人中の特定の人物に対して適切な文字情報を付することは容易ではない。
【０００４】
ところで、挨拶状、ポスター、販促ダイレクトメール等の文書作成において、操作者が文書様式を入力したら、予め設定された日付とその日付に関連したイメージ画像と定型文書とがその文書様式に応じて自動的に設定され、その後、操作者によるイメージ画像および定型文書等の編集が可能となる構成が知られている（特許文献１参照）。
【０００５】
また、撮影された撮影画像と合成されるテンプレート画像の選択において、撮影日とテンプレート画像の時期属性（例えば、月、季節）とを比較し、撮影日に近い時期属性のテンプレート画像を選択できる構成が知られている（特許文献２参照。）
【特許文献１】特開平１１−１５８２０号公報
【特許文献２】特開２００６−３３８５９２号公報
【発明の開示】
【発明が解決しようとする課題】
【０００６】
しかしながら、特許文献１では、定型文書の文書様式に応じてイメージ画像や定型文書等の自動合成を行ない、さらには編集する構成であって、複数の人物が撮影された画像において、特定の人物に応じた文字情報を自動的に付したり編集する目的・構成について記載されているものではない。
【０００７】
また、特許文献２では、撮影画像とテンプレート画像との合成において、テンプレート画像を撮影日から選択できる構成であって、撮影画像中の特定の人物に対する文字の合成について記載されているものではない。
【０００８】
本発明は、上記実情に鑑みてなされたものであり、その目的は、画像中の特定物に応じた適切な文字情報とともに当該画像をプリントすることを可能とするプリント方法、画像処理装置、画像処理プログラムを提供することにある。
【課題を解決するための手段】
【０００９】
上記課題を解決するため本発明に係るプリント方法は、
複数の画像データを特定物の識別画像および当該特定物の日付情報に基づいて検索し、
当該識別画像に相当する画像を含み、かつ、当該日付情報と一致する撮影日の画像データを抽出し、
当該特定物および／または日付情報に関連した関連文字情報を、前記抽出された画像データと共にプリントすることを特徴とする。
【００１０】
この構成によれは、すなわち、複数の画像データを特定物の識別画像および当該特定物の日付情報に基づいて検索し、当該識別画像に相当する画像を含み、かつ、当該日付情報と一致する撮影日の画像データを抽出し、当該特定物および／または日付情報に関連した関連文字情報を、前記抽出された画像データと共にプリントする。よって、画像中の特定物に応じた適切な文字情報とともに当該画像をプリントすることが可能となる。
【００１１】
「特定物」は、例えば、人、動物（人を除く）、植物、ロボット、乗り物（例えば、自動車、自動二輪車、電車、新幹線、蒸気機関車、ディーゼル機関車等）が挙げられる。特に人、ペット等の愛玩動物、育成している植物、ペットのようなロボットは、アルバム作成において、その中心的特定物として位置づけられることがある。
【００１２】
「識別画像」は、特定物が人、動物、ロボットであれば顔画像が例示される。特定物が乗り物の場合、その正面画像、側面画像等が例示される。
【００１３】
「日付情報」は、例えば、特定物の記念日、イベント参加日等が挙げられる。記念日は、例えば、誕生日、結婚式日、子供の出産日等が挙げられる。イベントは、例えば、遠足、運動会、任意の競技会、コンサート、旅行、任意の観覧・閲覧・見物等が挙げられる。日付情報は、年・月・日で構成されてもよく、月・日で構成されてもよい。また、日付情報は、正月やお盆、夏休みといった期間（数日間、長期間）であってもよい。例えば、日付情報が、正月（例えば１月１日から３日）、夏休み（例えば７月２０日から８月３１日）の期間であれば、それと一致する撮影日（情報）としてはその期間のすべてが該当する。
【００１４】
「関連文字情報」は、特定物に関連した文字情報、日付情報に関連した文字情報、それら両方に関連した文字情報である。文字情報は、特に制限なく、予め登録可能であるが、例えば、それぞれの特定物あるいは日付情報に適した文字で構成されるのが好ましい。「文字」は、特定の文字に制限されず、情報伝達を目的としない記号も含む。
【００１５】
また、他の本発明の画像処理装置は、
撮影日情報を含む複数の画像データを保存する画像データ保存部と、
特定物の識別情報、日付情報、当該特定物および／または日付情報に関連した関連文字情報とを有する特定物情報を保存する特定物情報保存部と、
前記特定物の識別画像に基づいて前記画像データ保存部内の画像データを検索し、当該特定物の識別画像に相当する画像を含む画像データを抽出する特定物抽出部と、
前記特定物抽出部で抽出された抽出画像データの撮影日情報と、前記特定物の日付情報が一致するか否かを判定する日付判定部と、
前記日付判定部の判定結果において、前記抽出画像データの撮影日情報と、前記特定物の日付情報が一致する場合に、当該特定物の関連文字情報を当該抽出画像データに紐付けする紐付け部と、
前記紐付け部で紐付けられた関連文字情報と抽出画像データを共にプリントするように制御するプリント制御部と、を有する構成である。
【００１６】
この構成によれば、撮影日情報を含む複数の画像データを保存する画像データ保存部と、特定物の識別情報、日付情報、当該特定物および／または日付情報に関連した関連文字情報とを有する特定物情報を保存する特定物情報保存部とを有している。画像データ保存部、特定物情報保存部を、一時的に記憶可能な記憶装置で構成してもよく、この場合、画像処理装置は外部の記憶装置から、複数の画像データ、特定物情報を受信する構成でもよい。特定物の識別情報は、特定物が人であれば、顔画像等の識別画像が好ましい。また、識別画像（例えば顔画像等）は予め特定物情報に含まれていてもよいが、特定物抽出処理の前に、画像データ中から特定の画像エリア（例えば顔画像）をエリア選択して確定し、これを識別画像として登録し、これを検索キーに用いることもできる。
【００１７】
そして、特定物の識別画像に基づいて前記画像データ保存部内の画像データを検索し、当該特定物の識別画像に相当する画像データを抽出する特定物抽出部と、特定物抽出部で抽出された抽出画像データの撮影日情報と、前記特定物の日付情報が一致するか否かを判定する日付判定部と、この日付判定部の判定結果において、前記抽出画像データの撮影日情報と、前記特定物の日付情報が一致する場合に、当該特定物の関連文字情報を当該抽出画像データに紐付けする紐付け部と、を有している。すなわち、識別画像（例えば顔画像）をキーに複数の画像データを検索し、識別画像に相当する画像を含む画像データを（１枚あるいは２枚以上）抽出する。ここでの抽出は、画像データ（付帯情報を全て含むデータ構成）そのものでもよいが画像データの識別ＩＤおよび撮影日情報のみでもよい。次いで、抽出された画像データ（抽出画像データ）の撮影日情報（撮影日）が、検索キーの特定物の日付情報と一致するか否かが判定され、一致した抽出画像データに、特定物の関連文字情報を紐付けする。
【００１８】
そして、プリント制御部は、紐付け部で紐付けられた関連文字情報と抽出画像データを共にプリントするように制御する構成である。例えば、プリント制御部は、プリント指示を受け付けると、関連文字情報と抽出画像データに基づいてプリント用画像データを作成する指令をプリント用画像データ作成部に行ない、これに応じてプリント用画像データ作成部でプリント用画像データが作成される。また、プリント用画像データ作成部は、ジャッジ処理によって設定された補正情報（γ補正、濃度補正、赤目補正、各種補正等）に基づいてプリント用画像データを作成する。作成されたプリント用画像データがプリンタ部に送信され、プリンタ部において、プリント用画像データに基づく写真プリント処理が実行される。プリンタが銀塩式プリンタの場合、プリンタ用画像データ作成部は、露光エンジンに用いられるように画像データを変換処理する機能を有する。このプリンタ用画像データ作成部の機能は、情報処理装置側ではなくプリンタ側あるいは別体の装置構成とすることもできる。
【００１９】
以上の構成によって、画像中の特定物に応じた適切な文字情報とともに当該画像をプリントすることを可能とする画像処理装置を提供することができた。
【００２０】
また、上記本発明において、紐付け部で紐付けられた関連文字情報と抽出画像データを予め設定された配置条件で配置された画像を表示手段に表示する表示制御部と、をさらに有し、
前記プリント制御部が、前記表示制御部で表示された画像をプリントするように制御する、あるいは当該表示された画像を編集した画像をプリントするように制御する構成である。
【００２１】
この構成によれば、紐付けられた関連文字情報と抽出画像データを予め設定された配置条件で配置された画像を表示手段に表示する（表示制御部の機能）ことができる。例えば、紐付けられた関連文字情報と抽出画像データは、配置条件に従って画像合成処理部で合成処理され、この合成処理された画像データのサムネイル画像が表示制御部によって表示手段に表示される。さらに、表示された画像をそのままプリントしたり、あるいは当該表示された画像を再配置した画像をプリントしたりできる（プリント制御部の機能）。配置条件は、予め設定され、例えば、特定物の画像座標を基準に左右いずれかあるいは上下いずれかに配置される。関連文字情報に吹き出し枠が付されていてもよい。関連文字情報の配置は、変更機能（変更部）によって再配置可能に構成されている。また、関連文字情報のフォント、サイズも予め設定され、上記の変更機能により変更可能に構成される。そして、プリント制御部は、プリント指示を受け付けると、配置条件で配置された関連文字情報および抽出画像データ（上述の合成処理された画像データ）に基づいてプリント用画像データを作成する指令をプリント用画像データ作成部に行ない、これに応じてプリント用画像データ作成部でプリント用画像データが作成される。また、プリント用画像データ作成部は、ジャッジ処理によって設定された補正情報（γ補正、濃度補正、赤目補正、各種補正等）に基づいてプリント用画像データを作成する。
【００２２】
上記の本発明において、複数の画像データからアルバムプリントを作成する場合に、前記紐付け部で紐付けられた関連文字情報と抽出画像データを含むようにアルバム画像データを作成するアルバム画像データ作成部と、
前記アルバム画像データ作成部で作成されたアルバム画像データをプリントするように制御するアルバムプリント制御部と、をさらに有する構成である。
【００２３】
この構成によれば、複数の画像データからアルバムプリントを作成する場合に、前記紐付け部で紐付けられた関連文字情報と抽出画像データを含むようにアルバム画像データを作成し（アルバム画像データ作成部の機能）、この作成されたアルバム画像データをプリントすることができる。特に、関連文字情報と紐付けされている抽出画像データを優先的に選択してアルバム画像データを作成することができる。このように優先的に選択することで、特定物（人物）を中心としたアルバムを簡単に作成することが可能となる。
【００２４】
アルバム画像データ作成部は、１ページ当たりの画像数、画像の配置、関連文字情報の配置、手書き欄の配置、付加画像等が予め設定された複数のアルバムテンプレートから任意のアルバムテンプレートの選択指示入力を受け付けて、この受け付けたアルバムテンプレートに応じて、アルバム対象の画像を合成処理する機能を有している。また、アルバム画像データ作成部で作成されたアルバム画像は、表示手段で表示され、オペレータによる編集が可能に構成される。アルバム画像データ作成部は、編集内容に応じてアルバム画像データを編集（再作成）する。アルバムプリント制御部は、アルバムプリントの指示を受け付けると、アルバム画像データに基づいてアルバムプリント用画像データを作成する指令をプリント用画像データ作成部に行ない、これに応じてプリント用画像データ作成部でアルバムプリント用画像データが作成される。作成されたアルバムプリント用画像データがプリンタ部に送信され、プリンタ部において、アルバムプリント用画像データに基づく写真プリント処理が実行される。また、プリント用画像データ作成部は、ジャッジ処理によって設定された補正情報（γ補正、濃度補正、赤目補正、各種補正等）に基づいてアルバムプリント用画像データを作成する。
【００２５】
上記の本発明において、日付判定部の処理において、全ての抽出画像データの撮影日情報が、前記日付情報を一致する場合に、アルバムのタイトルに前記関連文字情報を選択するタイトル選択部を、さらに有する構成である。
【００２６】
この構成によれば、アルバムのタイトルとして適した関連文字情報を選択できる。タイトル選択部は、関連文字情報のほかに別のタイトル候補の文字情報を表示させることができる。別のタイトル候補の文字情報は、例えば、予め設定されていてもよく、操作者が文字入力できるように構成してもよい。別のタイトル候補の文字情報は、関連文字情報を基本として、数文字が削除、追加、変更された文字情報であってもよい。
【００２７】
また、他の本発明は、コンピュータに、
特定物の識別画像に基づいて、画像データ保存部に保存された撮影日情報を含む複数の画像データを検索し、当該特定物の識別画像に相当する画像を含む画像データを抽出する特定物抽出ステップと、
前記特定物抽出ステップで抽出された抽出画像データの撮影日情報と、前記特定物の日付情報が一致するか否かを判定する日付判定ステップと、
前記日付判定ステップの判定結果において、前記抽出画像データの撮影日情報と、前記特定物の日付情報が一致する場合に、当該特定物および／または日付情報に関連した関連文字情報を当該抽出画像データに紐付けする紐付けステップと、
前記紐付けステップで紐付けられた関連文字情報と抽出画像データを予め設定された配置条件で配置された画像を表示手段に表示する表示制御ステップと、を実行させるための画像処理プログラムである。
【００２８】
また、上記のプログラムの一実施形態であって、前記表示制御ステップで表示された画像をプリントするように制御する第１プリント制御ストップと、あるいは当該表示された画像を編集した画像をプリントするように制御する第２プリント制御ステップと、をさらに実行させることを特徴とする。
【００２９】
また、上記のプログラムの別の実施形態であって、前記紐付けステップで紐付けられた関連文字情報と抽出画像データを含むようにアルバム画像データを作成するアルバム画像データ作成ステップと、
前記アルバム画像データ作成ステップで作成されたアルバム画像データをプリントするように制御するアルバムプリント制御ステップと、をさらに実行させることを特徴とする。
【００３０】
これらのプログラムの構成の作用効果は上述と同様である。
【００３１】
本発明において、「オーダー」は、写真プリントを作成する場合の注文単位である。「１オーダ」は、フィルム１本分あるいは複数本分、記録メディア１個分あるいは複数個分、画像データフォルダ１個分あるいは複数個分についてのプリント注文に係る画像データ群を指すものであるが、これに限定されるものではなく、１オーダーの概念はオペレータ、注文者により適宜設定することができる。以下、同様である。
【発明を実施するための最良の形態】
【００３２】
本発明の画像処理装置１を含むプリントシステムの主要構成について図1を用いて説明する。なお、画像処理装置１とプリンタ３は、ネットワーク接続されているが、それらを同一の装置として構成してもよい。
【００３３】
（実施形態１）
まず、画像処理装置１について説明する。画像処理装置１の基本的機能として、プリンタ３で実行される写真プリント処理の各種管理手段、写真プリント実行させるための機能手段を備え、例えば、情報処理装置と各種処理のソフトウエアプログラムで構成される。通信部１１は、各種データの送受信手段であり、公知の通信手段で構成される。画像処理装置１は、現像済みネガフィルムの読み取り機能であるフィルムスキャナー（不図示）とネットワーク接続され、フィルムスキャナーで読み取られたデジタルの画像データ（ＲＧＢ画像データ）が画像処理装置１に送信され、メモリ（例えば、画像データ保存部１０ａ）に保存される。また、画像データは、オーダー情報（例えばプリント枚数、サイズ等）と共に保存されてもよい。オーダー情報は、オペレータによって設定されてもよく、自動的に初期データを設定するように構成されてもいてもよい。画像データ（それぞれのコマ画像）には、少なくとも撮影日情報（撮影日あるいは撮影日時）が含まれている。
【００３４】
また、画像処理装置１に、注文者用受付端末（不図示）とネット受付端末等がネットワーク接続され、それぞれから、オーダー情報および画像データがオーダー単位に送信されメモリ（例えば、画像データ保存部１０ａ）に保存される。一般的にはオーダー情報が設定されているが、オペレータがオーダー情報を再設定する場合もある。なお、本実施形態とは別の実施形態において、注文者用受付端末で、関連文字情報を画像データに紐付けする処理手段を具備させることもできる。また、ネット受付端末で受けつけた画像データに関連文字情報が紐付けされている構成もあり、かかる場合、後述のプログラムを用いて注文者が注文者ＰＣでプログラムを実行し処理している。このプログラムは例えば、オンラインプリント注文サーバからダウンロード可能に構成される。
【００３５】
注文者用受付端末（不図示）は、例えば店頭に設置され、デジタルカメラの記録メディアやその他の記録メディアに格納された画像データを受け付けることができる。注文者用受付端末は、主として顧客により操作されるものであり、顧客が持参した記録メディアを挿入して、写真プリントの作成対象となる画像データを選択したり、プリント枚数などを設定したりすることができる。ネット受付端末は、インターネットを経由したオンラインでのプリント注文を受け付ける機能を有する。記録媒体読み取り装置（不図示）は、記録メディアから画像データを読み込む機能のほかに、画像処理装置１あるいはプリンタ３から送信されてきた画像データ、オーダー情報等のデータを記録メディアに書き込む機能を有している。  
【００３６】
画像データ保存部１０ａは、後述する特定物情報保存部１０ｂ、アルバム作成データ保存部１０ｃ、オーダー情報保存部１０ｄと同一の記憶装置で構成されていてもよく別々の記憶装置で構成されていてもよい。
【００３７】
写真プリント対象となりうる画像データに対応するオーダー情報は、後述するプレジャッジ処理によって設定されてもよく、通常プリントの場合に初期値として枚数が１、サイズが例えばＬ判として設定されてもいてもよい。アルバムプリントの場合には、コマ画像を選択（全部、一部選択）して、選択されたコマ画像データを、予めアルバム作成データ保存部１０ｃに保存されたアルバムテンプレートの情報に従ってアルバム画像が設定される。
【００３８】
また、画像処理装置１は、写真プリント注文に係る画像データやオーダー情報を管理制御するオーダー管理部１８を備えている。オーダー管理部１８は、プリント処理に関し、プリンタの設定、プリント順序等を設定できる。また、プリント順序に関し、モニターにオーダー情報を表示させ、プリント順序を変更する機能も有する。
【００３９】
特定物情報保存部１０ｂは、特定物の識別情報、日付情報、当該特定物および／または日付情報に関連した関連文字情報とを有する特定物情報を保存している。特定物が人物の場合、識別情報は顔情報である。
【００４０】
アルバム作成データ保存部１０ｃは、アルバムテンプレート情報を保存している。アルバムテンプレート情報は、例えば、１ページ当たりの画像数、画像の配置、関連文字情報の配置、手書き欄の配置、付加画像等を有して構成される。
【００４１】
オーダー情報保存部１０ｄは、プレジャッジ処理されて設定された補正情報、画像データ、オーダー情報等を保存している。画像データと関連文字情報が紐付けされていてもよく、また、画像データは、関連文字情報が合成されたデータであってもよく、補正情報に基づいて画像処理された後のデータでもよい。
【００４２】
また、画像処理装置１は、各種操作画面としてモニター等の表示手段１９と、各種の入力用にキーボード、マウス等の入力手段を備える。
【００４３】
処理モード選択部１２は、通常の写真プリント処理を実行するモードの通常プリントモードとアルバムプリント処理を実行するモードのアルバムプリントモードが少なくとも選択できるように構成されている。具体的には、表示手段１９にモード種選択ボタン等を表示させ、オペレータにいずれかのモードを選択指示させ、指示されたモードに移行させる構成である。なお、処理モード選択部１２の機能は必須ではなく、他の実施形態として、例えば、通常プリント実行の処理構成で起動し、写真プリント処理のコマ画像を選択して後に、Ｌ判等の通常プリントを実行可能とし、また、選択されたコマ画像についてアルバムプリントが実行できるようにアルバムプリント処理のコマンド等を有するように構成することもできる。
【００４４】
ジャッジ部１３は、画像データに対するプレジャッジ処理を実行する機能を有する。ジャッジ処理において、所定数のコマ画像をモニターに表示し、コマ画像ごとにプリント条件を設定することができる。例えば、画像データ保存部１０ａに保存された、任意の画像データ（オーダー単位の画像データ）を選択し、所定数（例えば、４コマ、６コマ）のコマ画像をモニターに表示し、表示されたコマ画像に対し、プリント枚数、プリントサイズ、画像の補正情報等のプリント条件を設定することができる。
【００４５】
本発明において、プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。なお、プレジャッジ処理は必ず行なわなければならないものではなく、プレジャッジ処理を省略してプリント処理を行うことも可能である。
【００４６】
ジャッジ部１３は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。
【００４７】
また、プリント枚数の設定としては、フィルムスキャナーから取得した画像データに関してはデフォルトで１が設定されるが、オペレータの入力操作により変更することができる。設定された補正情報は、画像データ、オーダー情報に関連づけられてオーダー情報保存部１０ｄに保存される。
【００４８】
プリント用画像データ作成部１５は、ジャッジ部１３で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成部１５は、コンピュータプログラムと、ＣＰＵ、メモリ等ハードウエア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ３側に通信部１１によって送信される。また、プリント用画像データ作成部１５は、後述するように予め設定された配置条件に基づいて関連文字情報が合成された画像データを補正情報に応じて画像処理する機能を有する。また、プリント用画像データ作成部１５は、アルバム画像データ作成部１４によって作成されたアルバム画像データをコマ画像ごとの補正情報に応じて画像処理する機能を有する。
【００４９】
プリント制御部１６は、プリント指示を受け付けると、少なくとも画像データに基づいてプリント用画像データを作成する指令をプリント用画像データ作成部１５に行ない、これに応じてプリント用画像データ作成部１５でプリント用画像データが作成される。また、プリント制御部１６は、紐付け部１０３で紐付けられた関連文字情報と抽出画像データを共にプリントするように制御する。例えば、プリント制御部１６は、プリント指示を受け付けると、関連文字情報と抽出画像データ（および補正情報が存在するなら補正情報）に基づいてプリント用画像データを作成する指令をプリント用画像データ作成部に行ない、これに応じてプリント用画像データ作成部１５でプリント用画像データが作成される。
【００５０】
特定物抽出部１０１は、特定物の識別画像に基づいてメモリ、例えば画像データ保存部１０ａに保存された画像データを検索し、当該特定物の識別画像に相当する画像を含む画像データ（コマ画像ごとの画像データ）を抽出する機能を有する。  
【００５１】
日付判定部１０２は、特定物抽出部１０１で抽出された抽出画像データの撮影日情報と、特定物の日付情報が一致するか否かを判定する機能を有する。日付情報は、上述したように一日単位ではなく、ある一定期間であってもよい。  
【００５２】
また、日付判定部１０２は、抽出画像データの撮影日情報の分布（例えば、撮影日の分布、撮影日ごとのコマ画像の枚数の分布）から、所定条件の撮影期間を自動的に選択する、あるいは選択可能に構成する機能を有する。所定条件の撮影期間を自動的に選択する場合、例えば、日付情報（例えば記念日）を含む連続した撮影日を自動的に選択する方法、日付情報から所定日数以上離れている撮影日を自動的に除く方法、ヒストグラム（縦軸に抽出コマ画像の枚数、横軸に撮影日）の縦軸値（枚数）が所定の閾値以上の横軸値（撮影日）を自動的に選択する方法等が挙げられる。所定条件の撮影期間を選択する場合、例えば、抽出画像データの撮影日の分布を表示手段１９に表示させ、オペレータが撮影期間（初日と終日）を指定するように構成でき、撮影日ごとのコマ画像枚数も同時に表示させると判断容易性の観点から好ましい。また、分布の表示方法として、撮影日−コマ画像枚数を対応表で示す表示方法、ヒストグラム（縦軸にコマ画像の枚数、横軸に撮影日）等のグラフ表示する方法等が好ましい。  
【００５３】
紐付け部１０３は、日付判定部１０２の判定結果において、抽出画像データの撮影日情報と、特定物の日付情報が一致する場合に、当該特定物の関連文字情報を当該抽出画像データに紐付けする機能である。  
【００５４】
画像合成処理部１０４は、紐付けられた関連文字情報と抽出画像データを共にプリントするために、それぞれの画像を合成する機能を有する。画像合成処理部１０４は、紐付けられた関連文字情報と抽出画像データを、予め設定されている配置条件に従って合成処理することができる。この配置条件はメモリ（不図示）に保存されている。そして、プリント制御部１６は、合成処理された関連文字情報と抽出画像データを共にプリントするように制御することができる。  
【００５５】
表示制御部１０５は、紐付け部１０３で紐付けられた関連文字情報と抽出画像データを予め設定された配置条件で配置された画像を表示手段１９に表示する制御機能である。例えば、画像合成処理部１０４で、紐付けられた関連文字情報と抽出画像データを予め設定されている配置条件に従って合成処理し、この合成処理された画像データのサムネイル画像が表示制御部１０５によって表示手段１９に表示される。
【００５６】
プリント制御部１６は、表示制御部１０５で表示された画像をプリントするように制御することができる。また、プリント制御部１６は、表示された画像を編集した画像をプリントするように制御することができる。例えば、関連文字情報の配置は、変更部１０６によって再配置可能に構成されている。また、関連文字情報のフォント、サイズも予め設定され、上記の変更部１０６により変更可能に構成される。変更部１０６によって変更された画像データは、画像合成処理部１０４によって再び合成処理され、表示手段１９に表示される。プリント制御部１６は、プリント指示を受け付けると、関連文字情報および抽出画像データ（上述の合成処理された画像データ）（および補正情報があれば補正情報）に基づいてプリント用画像データを作成する指令をプリント用画像データ作成部１５に行なう。
【００５７】
アルバム画像データ作成部１４は、アルバムテンプレート情報中の任意のアルバムテンプレートの選択指示入力を受け付けて（アルバムプリント処理モード選択により所定のアルバムテンプレートが自動的に選択されてもよい）、このアルバムテンプレートに応じて、アルバム対象のコマ画像をレイアウトに従い合成する機能を有している。
【００５８】
また、アルバム画像データ作成部１４は、関連文字情報と抽出画像データを含むようにアルバム画像データを作成する機能を有している。複数の画像データからアルバムプリントを作成する場合に、紐付け部１０３で紐付けられた関連文字情報と抽出画像データを含むようにアルバム画像データを作成することができる。特に、関連文字情報と紐付けされている抽出画像データを優先的に選択してアルバム画像データを作成することができる。このように優先的に選択することで、特定物（人物）を中心としたアルバムを簡単に作成することが可能となる。
【００５９】
また、アルバム画像データ作成部１４で作成されたアルバム画像を表示手段１９で表示し、変更部１０６によってオペレータによる画像の編集が可能に構成される。
【００６０】
アルバムプリント制御部１７は、アルバム画像データ作成部１４で作成されたアルバム画像データをプリントするように制御する機能である。アルバムプリント制御部１７は、アルバムプリントの指示を受け付けると、アルバム画像データに基づいてアルバムプリント用画像データを作成する指令をプリント用画像データ作成部１５に行ない、これに応じてプリント用画像データ作成部１５でアルバムプリント用画像データが作成される。作成されたアルバムプリント用画像データがプリンタ３に送信され、プリンタ３において、アルバムプリント用画像データに基づく写真プリント処理が実行される。
【００６１】
タイトル選択部１０７は、日付判定部１０２の処理において、全ての抽出画像データの撮影日情報が特定物の日付情報と一致する場合に、アルバムのタイトルに関連文字情報を自動であるいは手動で選択する機能である。タイトル選択部１０７は、特定物情報に登録されている複数の関連文字情報を表示手段１９に表示させてオペレータの選択指示を受付するように構成してもよく、複数の関連文字情報の他に別のタイトル候補の文字情報を含ませてもよい。別のタイトル候補の文字情報は、例えば、予め設定されていてもよく、オペレータが文字入力できるように構成してもよい。別のタイトル候補の文字情報は、関連文字情報を基本として、文字が自動的に削除、追加、変更された文字情報であってもよい。
【００６２】
（インクジェットプリンタ）
プリンタ３はインクジェットプリンタとして構成されている。なお、プリンタ３は、インクジェットプリンタに限定されず、熱転写式プリンタ、レーザープリンタ、銀塩式プリンタでも構成できる。
【００６３】
プリンタ３の主要機能について説明する。プリンタ３は、各種データ通信のための通信部（不図示）を備える。この通信部は、画像処理装置１からプリント用画像データを受信し、不図示のメモリに保存する。また、プリンタ３は、情報処理装置を備えている。情報処理装置はインクジェットプリンタに組み込まれていてもよく、別体として切り離せる構成でもよい。情報処理装置としてはパーソナルコンピュータが例示される。
【００６４】
ＲＩＰ処理部（不図示）を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。ここでのＲＩＰ処理部は、ソフトウエアプログラムと上述の情報処理装置のハードウエア資源（ＣＰＵ、メモリ等）との協働作用で構成される。
【００６５】
プリント処理は以下の流れである。用紙ストック部３０に枚葉の用紙Ｐ（インクジェット用紙）がストックされ、用紙送り機構によって用紙Ｐが１枚づつ下流側に搬送される構成である。搬送された用紙Ｐは、図面上、下側の印刷部（不図示）の吸引部３２によって吸引されて一次保持される。印刷部は、ＣＭＹＫごとのグレースケールデータに基づいて印刷処理する。印刷部は、ＣＭＹＫのそれぞれのプリントヘッド３１を備えている。プリントヘッド３１は、間欠搬送される用紙Ｐに対し、プリントヘッド３１が主走査方向に一走査し、この走査時に、各色のインク吐出ノズルからインクが吐出し、用紙Ｐの表面に付着する。この間欠搬送、主走査動作およびインク吐出動作を繰り返すことで、用紙Ｐの印刷領域に画像が形成される。画像形成するためのデータ（ＣＭＹＫごとのグレースケールデータ）により、各インク吐出ノズルからの吐出量、吐出座標が算出される。この吐出量、吐出座標に基づいてインク吐出ノズルが制御される。インク吐出の方法としては、インクが充填された圧力室内の容積がピエゾ素子によって変化することで、圧力室に連通するインク吐出ノズルからインクを吐出する一般的なピエゾ方式が例示される。これらの制御手段は、ＣＰＵ（ＭＰＵを含む）、メモリ、バス等のハードウエアと、各種制御手順を記述したプログラムソフトウエアとで構成してもよく、専用回路、ファームウエア等の組合せによって構成してもよい。
【００６６】
プリントヘッド３１は、その底面に多数のインク吐出ノズルが設けられたヘッドユニットが副走査方向に２段に並んで配置されている構成であってもよく、１段や３段以上の構成でもよい。例えば、ヘッドユニットは７つのノズルアレイから構成され、各ノズルアレイにおいて、インク吐出ノズルが副走査方向に列状に配置される。これによって、各ヘッドユニットはそれ単体でカラー画像を形成することが可能である。  
【００６７】
次いで、画像形成された用紙Ｐは、切断部３３に搬送される。片面印刷の場合に、切断部３３（例えば、回転刃）は、用紙幅方向に移動することで、用紙Ｐ中の不必要部分を切断する。なお、両面印刷の場合は、両面印刷終了後に切断処理を実行してもよい。次いで、片面印刷の場合、用紙Ｐの裏面に、裏印字手段（不図示）によって識別番号、コマ番号、日付等の情報が印刷される。なおこの裏印字処理は任意の処理である。次いで、搬送下流側の乾燥手段３４によって、用紙Ｐの画像形成面を乾燥させる。乾燥処理された用紙Ｐは、図面上、上側に搬送される。そして、両面印刷する場合に、用紙Ｐはリバース機構３５で挟持されて、裏面が印刷されるように印刷部側に搬送される構成である。印刷部では裏面に印刷処理をし、次いで必要に応じて切断処理し、次いで乾燥処理し、搬送下流側の排出部３６に両面印刷された用紙Ｐ２が排出される。排出部３６は、仕分け手段（不図示）を備え、これによって、オーダーごとに仕分け処理が行なわれる。
【００６８】
（処理フロー）
次に、図２のフローチャートを用いて、本実施形態１の処理手順について説明する。先ず、画像処理装置１の画像処理アプリケーションを起動する。画面に表示された、処理モード選択において、「通常プリント」あるいは「アルバムプリント」を選択する。先ず「通常プリント」が選択された場合（ステップＳ１）について以下に説明する。
【００６９】
ステップＳ２の通常プリント処理モードにおいて、ジャッジ処理を開始する。図６はジャッジ処理におけるジャッジ画面の一例である。６０１はコマ画像である。欄６０２はコマ画像６０１の画像サイズである。欄６０３はファイル名である。欄６０４はＹ（イエロー）Ｍ（マゼンタ）Ｃ（シアン）Ｄ（濃度）の補正値を入力する欄であり、「Ｎ」は初期値を示す。欄６０５はプリント枚数を示し、「１」は１枚プリントすることを意味している。コマ画像ごとにジャッジ処理を行なえる。また、ボタン６０６の「Ｆ」は各種機能を実行するためのファンクションボタンであり、これを指示すると図７の画面が表示される。
【００７０】
次いで、ステップＳ３における特定物の抽出処理について説明する。図７（ａ）のボタン７０１をマウスでクリック等の指示入力すると、図７（ｂ）の画面が表示される。ここで特定物を選択する。図７（ｂ）では、「登録情報から選択」する場合と「新たに画像を指定する」場合の２種類が選択可能に構成されている。「登録情報から選択」を指示した場合、図７（ｃ）の画面が表示され、ここでは、予め特定物情報保存部１０ｂに保存されている特定物情報が表示される。特定物情報のデータは、例えば図３に例示され、顧客ＩＤ，氏名、顔画像、日付情報、内容、関連文字情報等を有して構成されている。図７（ｃ）では、特定物情報のうち、例えば顧客ＩＤと氏名と顔画像が表示されている。オペレータは、表示された情報のうち顧客ＩＤ、氏名、あるいは顔画像のうちいずれかを指示することで、特定物を選択指示できる。また、図７（ｄ）に示すように、顧客ＩＤあるいは氏名等を直接入力して特定物を選択でき、さらに、検索して顔画像を表示させて確認するように構成できる。また、「新たに画像を指定する」場合には、画像データの一覧を表示させ、あるいはジャッジ画面において、顔画像を指定するように構成できる。特定物を選択したらジャッジ画面に戻る。以上の動作処理は、特定物抽出部１０１の一機能として構成される。
【００７１】
特定物が選択されると、ジャッジ画面に表示されているそれぞれのコマ画像中に特定物が含まれる場合に、特定物が含まれているコマ画像を抽出する（抽出されたコマ画像のデータを抽出画像データと呼ぶ）。具体的には、所定の顔検出アルゴリズムに従って特定物の顔画像に相当するコマ画像中の顔画像を特定し、このコマ画像を抽出する構成である。この抽出処理は、特定物抽出部１０１の一機能である。本実施形態では、全ての画像データに対して抽出処置、後述の紐付け処理が実行される。なお、別実施形態として、ジャッジ画面の次ページ以降において個別に、同じ特定物での抽出処理、紐付け処理を実行するように構成できる。またジャッジ画面単位であるいは選択された複数のコマ画像単位に、特定物を選択し、抽出処理、紐付け処理をそれぞれ実行するように構成できる。
【００７２】
次いで、ステップＳ４で、抽出画像データ（コマ画像）のそれぞれにおいて、その撮影日情報（撮影日）と日付情報が一致するか否かを判断する。日付情報は、特定物情報に含まれる、選択された特定物の日付情報であり、例えば「年」は判断されず、誕生日、結婚記念日、正月、夏祭り等の毎年訪れる記念日、イベントに対応できるように構成されている。また、日付情報は、特定物情報に含まれる日付情報に限定されず、特定物情報に含まれない他の日付を選択入力できるように構成できる。例えば、特定物の選択指示の後に、記念日等の一覧を画面に表示し、いずれかの記念日を選択したり、新たな日付を入力できるように構成できる。新たに入力された日付は、関連文字情報も入力できるように構成され、日付と関連文字情報が共に該当する特定物の関連レコードに登録される。
【００７３】
撮影日情報（撮影日）と日付情報が一致するか否かを判断は日付判定部１０２の一機能によって実行される。日付判定部１０２は、例えば、撮影日と日付情報の月日が完全に一致するか否かを判断することができる。また、日付判定部１０２は、撮影日が日付情報を含む所定期間の範囲内であるか否かを判断することができる。また、別実施形態として、抽出画像データの撮影日情報の分布（例えば、撮影日の分布、撮影日ごとのコマ画像の枚数の分布）から、所定条件の撮影期間を自動的に選択することができる。例えば、日付情報（例えば記念日）を含む連続した撮影日を自動的に選択する方法、日付情報から所定日数以上離れている撮影日を自動的に除く方法、ヒストグラム（縦軸に抽出コマ画像の枚数、横軸に撮影日）の縦軸値（枚数）が所定の閾値以上の横軸値（撮影日）を自動的に選択する方法等が挙げられる。
【００７４】
撮影日情報（撮影日）と日付情報（月日あるいは所定の期間）が一致する場合にはステップＳ５に進み、そうでない場合には、ステップＳ６に進む。ステップＳ５では、撮影日情報（撮影日）と日付情報が一致する抽出画像データを関連文字情報と紐付けする。関連文字情報は、図３に示すように複数登録されている場合、関連文字情報Ａから順に紐付けされていてもよく、複数の関連文字情報を一覧表示させて選択できるように構成してもよい。
【００７５】
次いでステップＳ６において、紐付けされた抽出画像データと関連文字情報は、所定の配置条件に従い合成処理される。予め設定されている配置条件の一例を図４に示す。初期値として配置条件が予め設定されているが、これに制限されず、配置条件ＩＤ等を選択指示して、別の配置条件を選択できるように構成できる。合成された関連文字情報と抽出画像データの一例を図８に示す。図８において、コマ画像６０１の特定物の顔画像から吹き出し枠８０１が引き出されている。なお、吹き出し枠８０１の形状、サイズに限定されない。吹き出し枠８０１の枠内には関連文字情報があるが、図面では省略されている。なお、別実施形態として、ジャッジ画面では、吹き出し枠で特定物の顔画像を他と区別できるようにしているが、吹き出し枠が表示されなくともよく、他の記号、印等で識別できるように構成してもよい。
【００７６】
次いでステップＳ７−１において、ジャッジ画面のコマ画像をプリント処理するか否かを判断する。プリント処理に進む場合には、ステップＳ８に進む。しかし、例えば、コマ画像６０１において、吹き出し枠８０１の位置をずらしたい場合や、関連文字情報を変更したい場合に、変更処理を行える（ステップＳ７−２）。
【００７７】
コマ画像６０１を指示して、ボタン６０７の「表示」を指示し、図９の変更画面を表示させることができる。枠９０１はプリントエリアを意味し、枠内にコマ画像６０１と吹き出し枠、関連文字情報が表示される。変更入力欄９０２は、関連文字情報を変更するために、新たに文字を入力する欄である。入力された文字は変更確定９０３を指示して、関連文字情報が変更され、それが表示される。また、関連文字情報の配置を変更する場合、吹き出し枠を指示して移動させることで配置を変更できる。次のコマについても「次コマ」を指示して表示させ変更できる。ボタン９０４を指示してジャッジ画面に戻る。また、表示されたコマ画像をプリント処理する場合、「プリント開始」ボタン９０５を指示する。
【００７８】
関連文字情報の変更処理が終了したら、ステップＳ７−１に戻る。ジャッジ画面に戻り、プリント処理の開始を行う場合、「ＳＴＡＲＴ」ボタン６０８を指示する。プリント処理にすぐに移行できる場合、ジャッジ画面に表示されているコマ画像に応じた画像データ、補正情報等の必要なデータがプリント用画像データ作成部１５に送信され、プリント用画像データが作成される（ステップＳ８）。作成されたプリント用画像データは、プリンタ３に送信され、プリント処理が実行される（ステップＳ９）。プリント処理にすぐに移行できない場合、それらのデータはオーダー情報保存部１０ｄに送信され、蓄積され、プリント処理の順番待ち状態として管理される。
【００７９】
次いで、アルバムプリント処理について説明する。ステップＳ１で、「アルバムプリント」を選択指示した場合、アルバムプリント処理モードに以降する（ステップＳ２２）。アルバムプリント処理モードが選択されたため、初期値のアルバムテンプレートが選択される。なお、図５に示すようなアルバムテンプレート情報の一覧を表示させて選択指示入力できるように構成してもよい。
【００８０】
ジャッジ処理におけるジャッジ画面の一例を図１０に示す。特定物の選択方法は上述と同様である。特定物が選択されたら、上述と同様に特定物の抽出処理が実行され（ステップＳ２３）。次いで、上述と同様に日付判別処理（Ｓ２４）、紐付け処理（Ｓ２５）が実行される。紐付けされた関連文字情報と抽出画像（コマ画像）は、図８に示すように吹き出し枠等で他の顔画像を区別できるように表示されてもよい。本実施形態では、全ての画像データに対して抽出処置、紐付け処理が実行される。なお、別実施形態として、ジャッジ画面に表示された所定枚数のコマ画像ごとに抽出処置、紐付け処理を実行するように構成することもできる。関連文字情報が紐付けされなかったコマ画像、すなわちアルバムプリント対象でないコマ画像については、プリント枚数欄６０５を「１」から「パス」に自動的に変更される。なお、手動で入力されてもよい。アルバムプリント対象のコマ画像について補正処理が行われる。
【００８１】
次いで、アルバム画像データ作成処理が実行される（ステップＳ２６）。本実施形態では、関連文字情報が紐付けされたコマ画像、すなわちアルバムプリント対象のコマ画像についてアルバムテンプレートの条件に従ってアルバム画像データが作成される。図５はアルバムテンプレートの一例である。アルバムテンプレートは、アルバムレイアウト、両面印刷か片面印刷かのデータ等で構成されている。アルバムテンプレートの選択はモード選択によって初期値のアルバムテンプレートが選択されるように構成されてもよく、複数のアルバムテンプレートを一覧表示させて、それから選択指示できるように構成されてもよい。
【００８２】
アルバム画像データが作成されると、プリント処理に進むか否かが判断される（ステップＳ２７−１）。プリント処理を実行させる場合、「ＳＴＡＲＴ」ボタン６０８を指示してプリント処理に移行させることができる。また、アルバムレイアウト表示をさせて確認することもできる。
【００８３】
図１０の「アルバム」ボタン１００１を指示すると、図１１に示すアルバムプリントのレイアウト画面１１０１が表示される。ここでは、特定物を含むコマ画像のみでアルバムプリントが構成されており、他のコマ画像はアルバムプリントとしてプリント処理されない。なお、別実施形態としてアルバムプリントとして他のコマ画像も含めるように構成できる。例えば、プリント枚数欄６０５を「パス」から「１」に変更することで実現できる。
【００８４】
プリント処理を実行せずに関連文字情報等を変更したい場合、変更処理を実行する（ステップＳ２７−２）。図１１において、変更したいコマ画像を選択指示して、変更入力欄９０２にその関連文字情報を表示させ、文字を削除、入力等して変更することができる。変更した文字の確定は「変更確定」ボタン９０３を指示することで反映され、吹き出し枠内の関連文字情報が変更される。また、レイアウト画面１１０１の２枚目の吹き出し枠をマウスでクリック（指示）し、その配置を破線のように変更することができる。また、吹き出し枠削除ボタン（不図示）を指示して吹き出し枠をなくし、コマ画像の右側の罫線に沿って関連文字情報を表示させるように画像合成することもできる。これも変更部１０６の一機能である。「プリント開始」ボタン９０５を指示してこのアルバムレイアウトをプリントし確認することもできる。アルバムレイアウトの確認や変更処理の後、「ジャッジ画面に戻る」ボタン９０４を指示して、ジャッジ画面に戻ることができる。なお、ジャッジ画面では、コマ画像の補正処理を行なえる。
【００８５】
また、すべての抽出画像データ（抽出されたコマ画像）のそれぞれの撮影日が日付情報と一致した場合に、アルバムタイトルとして、関連文字情報が設定される（タイトル選択部１０７の一機能である）。その一例を図１２に示す。アルバムレイアウト欄１２０１のアルバムタイトルとして、関連文字情報の一例「○○君の８歳のお誕生日会」が合成処理され表示されている。このタイトルの下側には、任意の画像、あるいは任意の抽出コマ画像が表示されるように合成処理されてもよい。アルバムタイトルを変更したい場合、変更入力欄９０２に入力し、「変更確定」ボタン９０３を指示して変更を反映させることができる。「ジャッジ画面に戻る」ボタン９０４を指示してジャッジ画面に戻ることができる。なお、別実施形態として、すべての抽出画像データ（抽出されたコマ画像）のそれぞれの撮影日が日付情報を含む所定期間の範囲内に含まれる場合に、アルバムタイトルとして、関連文字情報を設定するように構成することもできる。
【００８６】
上述したが、「ＳＴＡＲＴ」ボタン６０８を指示してプリント処理が実行される。プリント処理にすぐに移行できる場合、補正情報、アルバム画像データ等の必要なデータがプリント用画像データ作成部１５に送信され、ここでアルバムプリント用画像データが作成される（ステップＳ２８）。作成されたアルバムプリント用画像データは、プリンタ３に送信され、プリント処理が実行される（ステップＳ２９）。プリント処理にすぐに移行できない場合、それらのデータはオーダー情報保存部１０ｄに送信され、蓄積され、プリント処理の順番待ち状態として管理される。
【００８７】
（実施形態２）
本発明の画像処理装置１の上述の機能要素を、注文者受付端末に具備させることもできる。注文者がこの端末上で、上述の特定物の選定、画像データの抽出、関連文字情報の紐付け処理を実行し、関連文字情報とコマ画像を共に表示させて、確認・変更処理を実行できる。また、注文者受付端末上で、プリントサイズ、プリント枚数、プリント対象のコマ画像を設定することもできる。
【００８８】
（実施形態３）
本発明の画像処理装置１の機能要素は、ソフトウェアとハードウエア（ＣＰＵ（ＭＰＵを含む概念）、メモリ等）の協働作用によって実現でき、専用回路あるいはファームウエア等で、またはそれらの組み合わせで実現することもできる。
【００８９】
ソフトウェアで実現する場合、そのプログラムは以下のようになる。このプログラムは、記録媒体に記録され、記録媒体に保存された形態として提供可能であり、また、通信回線を介して提供（ダウンロード提供）されてもよい。通信回線を介して提供される場合、その一部の機能のみが提供されてもよく、他の一部がサーバ装置に残っていてもよく、全体の機能として本発明の機能が発揮されていれば本発明の技術的範囲に含まれる。
【００９０】
本発明のソフトウエアプログラムは、
コンピュータに、
特定物の識別画像に基づいて、画像データ保存部に保存された撮影日情報を含む複数の画像データを検索し、当該特定物の識別画像に相当する画像を含む画像データを抽出する特定物抽出ステップと、
前記特定物抽出ステップで抽出された抽出画像データの撮影日情報と、前記特定物の日付情報が一致するか否かを判定する日付判定ステップと、
前記日付判定ステップの判定結果において、前記抽出画像データの撮影日情報と、前記特定物の日付情報が一致する場合に、当該特定物および／または日付情報に関連した関連文字情報を当該抽出画像データに紐付けする紐付けステップと、を実行させるための画像処理プログラムである。
【００９１】
上記の一実施形態として、前記紐付けステップで紐付けられた関連文字情報と抽出画像データを予め設定された配置条件で配置された画像を表示手段に表示する表示する表示制御ステップと、
前記表示制御ステップで表示された画像をプリントするように制御する第１プリント制御ストップと、あるいは当該表示された画像を編集した画像をプリントするように制御する第２プリント制御ステップと、をさらに実行させるための画像処理プログラムである。
【００９２】
このプログラムは、特定物抽出ステップ、日付判定ステップ、紐付けステップ、表示制御ステップとを、例えば、注文者ＰＣあるいは注文者用受付端末で実行し、第１プリント制御ストップおよび／または第２プリント制御ステップを別の処理装置（例えば、画像処理装置１、注文者用受付端末、プリンタ３）で分散処理するように構成できる。また、表示制御ステップを別の処理装置（例えば、画像処理装置１あるいは注文者用受付端末）で分散処理するように構成できる。
【００９３】
また、別の実施形態として、前記紐付けステップで紐付けられた関連文字情報と抽出画像データを含むようにアルバム画像データを作成するアルバム画像データ作成ステップと、
前記アルバム画像データ作成ステップで作成されたアルバム画像データをプリントするように制御するアルバムプリント制御ステップと、をさらに実行させるための画像処理プログラムである。
【００９４】
このプログラムは、アルバム画像データ作成ステップおよび／またはアルバムプリント制御ステップを別の処理装置（例えば、画像処理装置１、注文者用受付端末、プリンタ３）で分散処理するように構成できる。
【００９５】
上述のプログラムは、画像処理装置１あるいはサーバ装置に保存され、ネットワーク（インターネット接続を含む）を介して接続された注文者ＰＣ（携帯型コンピュータ、汎用パソコン、ワークステーション等を含む）の要求に応じてダウンロード可能に構成される。ダウンロードされたプログラムは、注文者ＰＣにインストールされ実行可能に構成される。例えば、操作者が、所定の画像データに対し、特定物を選択し、特定物をキーに特定物を含む画像データを抽出し、抽出された画像データの撮影日が、特定物に関連した記念日等の日付情報と一致するものをさらに絞りこみ、このさらに絞り込んで抽出された画像データに関連文字情報を紐付けできる。紐付けとして画像データと関連文字情報の合成処理も含むように構成してもよいが、画像合成処理を、別の装置、例えば画像処理装置１側で実行させるように構成できる。この場合、紐付けされた関連文字情報と画像データを、サーバ装置を介して画像処理装置１に送信するように構成でき、あるいはそのデータを記録した記録媒体を記録媒体読み取り装置で読み取って、画像処理装置１に送信するように構成してもよい。
【００９６】
（別実施形態）
プリンタ３のインクジェット方式は、シリアル走査型のプリントヘッドを用いた方式に限らず、ライン走査型のプリントヘッドを用いたインクジェット方式でもよい。
【図面の簡単な説明】
【００９７】
【図１】画像処理装置の機能構成を説明するための図
【図２】画像処理装置の処理動作について示すフローチャート
【図３】特定物情報のデータ構成の一例を示す図
【図４】配置条件のデータ構成の一例を示す図
【図５】アルバムテンプレートの一例を図
【図６】ジャッジ画面の一例について説明するための図
【図７】特定物の選択方法の一例について説明するための図
【図８】ジャッジ画面の一例について説明するための図
【図９】変更処理の画面の一例について説明するための図
【図１０】ジャッジ画面の一例について説明するための図
【図１１】変更処理の画面の一例について説明するための図
【図１２】変更処理の画面の一例について説明するための図
【符号の説明】
【００９８】
１      画像処理装置
３      プリンタ
１０ａ  画像データ保存部
１０ｂ  特定物情報保存部
１４    アルバム画像データ作成部
１６    プリント制御部
１７    アルバムプリント制御部
１９    表示手段
１０１  特定物抽出部
１０２  日付判定部
１０３  紐付け部
１０４  画像合成処理部
１０５  表示制御部
１０６  変更部
１０７  タイトル選択部
【図１】
2010044434.tif 000003
【図２】
2010044434.tif 000004
【図３】
2010044434.tif 000005
【図４】
2010044434.tif 000006
【図５】
2010044434.tif 000007
【図６】
2010044434.tif 000008
【図７】
2010044434.tif 000009
【図８】
2010044434.tif 000010
【図９】
2010044434.tif 000011
【図１０】
2010044434.tif 000012
【図１１】
2010044434.tif 000013
【図１２】
2010044434.tif 000014